(57)【特許請求の範囲】
【請求項１】
鉛直方向に延びる柱状の照明器具であって、
光を発する光源と、
前記光源を囲む前記柱状の側面を形成し、前記光源が発した光を加工して透過させる電子パネルと、
前記柱状の上面を形成し、中央に円形穴を有する上面板と、
前記円形穴よりも大きく、前記上面板を下方から支持する板であり、中心に第１の貫通穴を有し、当該中心から所定距離の位置に第２の貫通穴を有する支持板と、
前記第１の貫通穴を通って上方に延び、前記照明器具の吊り下げ用の部材に設けられた電源に接続する電源ケーブルと、
一端が前記第２の貫通穴に係合され、他端が前記照明器具の吊り下げ用の部材に固定されるワイヤーと、を備える、
照明器具。
【請求項２】
前記支持板は、前記円形穴の半径よりも大きい円形の板であって前記上面板を下方から支持する円盤部と、前記円形穴の半径よりも小さい偏平の円柱形状であって前記円形穴に嵌る凸部と、を含む、
請求項１に記載の照明器具。
【請求項３】
前記支持板に設けられ、前記支持板の下方に突出する突起部と、
前記上面板が当該上面板の前記中心を通り鉛直方向に延びる直線を回転軸として所定の角度、水平回転した場合に前記突起部と衝突する位置に配置された衝突板と、をさらに備える、
請求項１又は２に記載の照明器具。
【請求項４】
前記柱状は正四角柱である、
請求項１から３のいずれか１項に記載の照明器具。
【発明の詳細な説明】
【技術分野】
【０００１】
本開示は、照明器具に関する。
【背景技術】
【０００２】
特許文献１には、発光部を覆い、所定方向について一端から他端へ向かって拡がり、他端に開口部を有し、外面及び内面が湾曲し所定方向について一端から他端へ向かって肉厚が増すよう形成された透明なお椀型の笠部材を備えた、吊り下げ式の照明器具が開示されている。
【先行技術文献】
【特許文献】
【０００３】
【特許文献１】特開２００９−１２９５４６号公報
【発明の概要】
【発明が解決しようとする課題】
【０００４】
特許文献１に開示されるようなお椀型の笠部材を備えた吊り下げ式の照明器具は、どちらの方向から見ても同じ形状のため、照明器具を設置する際に当該照明器具の向きを調節する必要がない。しかしながら、角柱の形状の吊り下げ式の照明器具は、見る方向によって見え方が異なるため、照明器具の向きを調節する機構が求められる。
【０００５】
本開示は、照明器具の向きを調節する機構を備えた吊り下げ式の照明器具を提供することを目的とする。
【課題を解決するための手段】
【０００６】
本開示に係る照明器具は、鉛直方向に延びる柱状の照明器具であって、光を発する光源と、前記光源を囲む前記柱状の側面を形成し、前記光源が発した光を加工して透過させる電子パネルと、前記柱状の上面を形成し、中央に円形穴を有する上面板と、前記円形穴よりも大きく、前記上面板を下方から支持する板であり、中心に第１の貫通穴を有し、当該中心から所定距離の位置に第２の貫通穴を有する支持板と、前記第１の貫通穴を通って上方に延び、前記照明器具の吊り下げ用の部材に設けられた電源に接続する電源ケーブルと、一端が前記第２の貫通穴に係合され、他端が前記照明器具の吊り下げ用の部材に固定されるワイヤーと、を備える。
【発明の効果】
【０００７】
本開示によれば、照明器具の向きを調節する機構を備えた吊り下げ式の照明器具を提供できる。
【図面の簡単な説明】
【０００８】
【図１】本実施の形態に係る照明器具の構成の一例を示す斜視図
【図２】図１に示す照明器具のＡ−Ａ断面図
【図３】図１に示す照明器具のＢ−Ｂ断面図
【図４】照明器具の回転角度を制限する構成の一例を示す斜視図
【発明を実施するための形態】
【０００９】
以下、図面を適宜参照して、本開示の実施の形態について、詳細に説明する。ただし、必要以上に詳細な説明は省略する場合がある。例えば、すでによく知られた事項の詳細説明及び実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の記載の主題を限定することは意図されていない。
【００１０】
（本実施の形態）
図１は、本実施の形態に係る照明器具の構成の一例を示す斜視図である。
【００１１】
なお、説明の便宜上、図１に示すように、鉛直方向（高さ方向）に延びる軸をＺ軸とし、Ｚ軸に直交する１つの軸をＸ軸とし、Ｘ軸及びＺ軸に直交する軸をＹ軸とする。また、Ｚ軸の正方向を「上」、Ｚ軸の負方向を「下」、Ｘ軸の正方向を「右」、Ｘ軸の負方向を「左」と称する場合がある。また、ＸＹ平面を水平面、ＸＹ平面に垂直な面を垂直面と称する場合がある。ただし、これらの方向に係る表現は、説明の便宜上用いられるものであって、当該構造の実使用時における姿勢を限定する意図ではない。
【００１２】
照明器具１は、図１に示すように、鉛直方向に延びる略四角柱の形状を呈する。ただし、照明器具１の形状は、四角柱に限られず、三角柱、五角柱、六角柱、八角柱といった他の角柱であってもよい。また、照明器具１の形状は、正角柱（例えば正四角柱）に限られず、どのような角柱であってもよい。
【００１３】
他にも、照明器具１の形状は、略四角柱の形状に限定されず、円柱のような形状であってもよい。円柱のような形状は、半径が一定値である円以外にも楕円等も含むものである。なお、本実施の形態に係る照明器具１の構成の一例では、四角柱の形状を用いて説明する。
【００１４】
照明器具１は、光源１１、電子パネル１２、下面パネル１３、制御筐体１４、制御部１５、電源ケーブル１６、ワイヤー１７及び蓋部１８を備える。
【００１５】
光源１１は、四角柱の内部に配置され、光を発する装置である。光源１１は、図１に示すように、球状のＬＥＤ電球である。あるいは、光源１１は、下方に延びる棒状のＬＥＤ蛍光灯であってよい。
【００１６】
電子パネル１２は、四角柱の４つの側面を形成するように、角筒状に配置される。すなわち、照明器具１は、４つの電子パネル１２を備える。以下、互いに隣接する電子パネル１２によって形成される四角柱の側面の交線を、側稜３０と称する。また、電子パネル１２は、画像を表示可能であり、光源１１が発した光を加工して透過させる。電子パネル１２に表示される画像は、静止画又は動画のいずれであってもよい。電子パネル１２の例として、液晶パネル又はＯＬＥＤ（Organic Light-Emitting Diode）パネルが挙げられる。
【００１７】
照明器具１を見た人は、光源１１が発する光をバックライトとして、電子パネル１２に表示された画像を視認できる。加えて、照明器具１は、光源１１から電子パネル１２の各画素までの距離が異なるため、電子パネル１２の各画素の受ける光量が異なる。加えて、電子パネル１２の内側には、光を拡散する拡散シートが張り付けられてもよい。これらの構成によれば、照明器具１の電子パネル１２に表示された画像は、照明器具１を見た人に、平面バックライトを備えた一般的な液晶モニタに表示される画像とは異なるイメージで視認される。よって、照明器具１を用いることにより、一般的な液晶モニタでは実現が難しい様々な演出を実現できる。
【００１８】
下面パネル１３は、四角柱の下面を形成するように配置される。すなわち、下面パネル１３の４辺は、４つの電子パネル１２の下辺に固定される。下面パネル１３は、透明なパネルであってもよいし、所定の色を有する半透明のパネルであってもよい。あるいは、照明器具１は、下面パネル１３を備えなくてもよい。
【００１９】
制御筐体１４は、四角柱の上部を形成するように配置される。制御筐体１４の形状は、四角柱であってもよいし、図１に示すように、四角錐台であってもよい。また、制御筐体１４の上面を上面板２１と称する。すなわち、上面板２１は、四角柱の上面に相当する。
【００２０】
制御部１５は、制御筐体１４の内部に配置され、電子パネル１２の画像表示を制御する装置である。加えて、制御部１５は、光源１１の発光を制御してもよい。光源１１の発光制御の例として、光源１１の点滅パターンの制御及び光量の制御が挙げられる。制御部１５は、プロセッサ、メモリ及び通信Ｉ／Ｆ（Interface）を備える回路基板であってよい。プロセッサは、メモリから読み出した所定のプログラム及びデータに基づいて、電子パネル１２の画像表示制御及び光源１１の発光制御を行う。また、プロセッサは、通信Ｉ／Ｆを通じて、所定のサーバから、電子パネル１２に表示させる画像のデータ、及び、光源１１の発光制御に関するデータを受信し、メモリに格納してよい。通信Ｉ／Ｆは、Ｅｔｈｅｒｎｅｔ（登録商標）に代表される有線通信を行うＩ／Ｆであってもよいし、ＷｉＦｉ（登録商標）に代表される無線通信を行うＩ／Ｆであってもよい。
【００２１】
＜照明器具の向きを調節する機構＞
次に、図２〜図４を参照して、照明器具１の向きを調節する機構について説明する。図２は、図１に示す照明器具１のＡ−Ａ断面図である。図３は、図１に示す照明器具１のＢ−Ｂ断面図である。図４は、照明器具１の回転角度を制限する構成の一例を示す斜視図である。図４は、Ｘ軸に平行な面を前面にして、支持板２３付近をＺ軸の負方向から斜めに見た図である。なお、図２〜図３は、制御部１５等の描画を省略している。
【００２２】
制御筐体１４の上面板２１は、中央に所定半径の円形穴２２を有する。円形穴２２は、円形の蓋部１８によってカバーされてよい。
【００２３】
上面板２１の下には、円形穴２２の半径よりも大きく、当該上面板２１を下方から支持する板である支持板２３が配置される。支持板２３は、図３に示すように、円形穴２２の半径よりも大きい円形の板であって上面板２１を下方から支持する円盤部２３Ａと、円形穴２２の半径よりも小さい偏平の円柱形状であって円形穴２２に嵌る凸部２３Ｂとによって構成されてよい。あるいは、支持板２３は、円盤部２３Ａを有し、凸部２３Ｂを有しない構成であってもよい。当該構成によれば、図３に示すように、上面板２１は、支持板２３の円盤部２３Ａに支持される。上面板２１と支持板２３は、ある程度の摩擦を有する材料で構成されてよく、例えば亜鉛メッキスチールによって構成されてよい。
【００２４】
蓋部１８及び支持板２３は、中心に、電源ケーブル１６を通すための貫通穴２４Ａ、２４Ｂをそれぞれ有する。加えて、蓋部１８及び支持板２３は、中心から所定距離の位置に、ワイヤー１７を通すための貫通穴２５Ａ、２５Ｂをそれぞれ有する。例えば、蓋部１８及び支持板２３は、図１に示すように、中心を通り水平面に平行な直線Ｍ１上の、当該中心から等距離（例えば支持板２３の半径）の位置に、２つの貫通穴２５Ａ、２５Ｂをそれぞれ有する。
【００２５】
電源ケーブル１６は、制御筐体１４の内部の制御部１５から、支持板２３及び蓋部１８の貫通穴２４Ａ、２４Ｂを通って上方に延び、天井、梁又はライティングレールといった照明器具１を吊り下げる部材（以下「吊り下げ用部材」という）に設けられた電源（図示しない）に接続する。光源１１、電子パネル１２及び制御部１５は、電源ケーブル１６を通じて供給された電力によって動作する。
【００２６】
ワイヤー１７は、一端が支持板２３の貫通穴２５Ｂに係合され、他端が吊り下げ用部材に固定される。ワイヤー１７は、１本であってもよいし、図１〜図４に示すように２本であってもよいし、３本以上であってもよい。
【００２７】
上述の構成によれば、支持板２３の中心を通り鉛直方向に延びる直線Ｃを回転軸とする当該支持板２３の水平回転は、ワイヤー１７によって妨げられる。一方で、上面板２１は、支持板２３とは連結せずに、支持板２３の円盤部２３Ａに支持されている。よって、上面板２１を含む制御筐体１４及び当該制御筐体１４と連結する電子パネル１２は、直線Ｃを回転軸とする水平回転が可能である。したがって、作業者は、照明器具１を吊り下げて設置する際に、直線Ｃを回転軸として上面板２１を水平回転させて、電子パネル１２を任意の向きに調節できる。なお、上面板２１と支持板２３とはある程度の摩擦を有するため、電子パネル１２の向きを調節した後に、上面板２１が勝手に水平回転したりすることはない。これにより、例えば、４つの電子パネル１２にそれぞれ異なる画像が表示される場合に、作業者は、各画像が見せたい方向を向くように、照明器具１を設置することができる。
【００２８】
また、支持板２３の凸部２３Ｂが上面板２１の円形穴２２に嵌っているので、上面板２１が支持板２３に対して水平方向にずれない。
【００２９】
また、ワイヤー１７を設けることにより、支持板２３に掛かる制御筐体１４及び電子パネル１２等の重さが、電源ケーブル１６だけでなく、ワイヤー１７にも分散する。よって、より安全に照明器具１を吊り下げることができる。
【００３０】
なお、電源ケーブル１６によって照明器具１を十分安全に吊り下げることができる場合、ワイヤー１７は設けられなくてもよい。この場合、電源ケーブル１６の一部が支持板２３に固定されてよい。これにより、直線Ｃを回転軸とする支持板２３の水平回転は、電源ケーブル１６のねじり剛性及び／又はねじりに対する復元力によって妨げられる。よって、作業者は、上述した場合と同様に、直線Ｃを回転軸として制御筐体１４及び電子パネル１２を水平回転させて、電子パネル１２を任意の向きに調節できる。
【００３１】
＜制御筐体及び電子パネルの回転角度を制限する機構＞
次に、図１〜図４を参照して、制御筐体１４及び電子パネル１２の回転角度を制限する機能について説明する。
【００３２】
図１〜図４に示すように、支持板２３には、中心から所定距離Ｒ１の位置に、下方に突出する突起部２６が設けられる。突起部２６は、図１に示すように、直線Ｍ１に直交し、かつ支持板２３の中心を通る直線Ｍ２上に設けられてよい。突起部２６は、例えば下方に延出するネジであってよい。
【００３３】
図２及び図４に示すように、照明器具１は、支持板２３の下方に、回転ストッパ２７を備える。図２及び図３では図示しないが、回転ストッパ２７は、制御筐体１４又は制御部１５と連結している。すなわち、回転ストッパ２７は、制御筐体１４を水平回転させると、当該制御筐体１４と共に移動する。
【００３４】
回転ストッパ２７は、直線Ｃを回転軸として上面板２１を所定の角度、水平回転させた場合に突起部２６が衝突する位置に、衝突板２８を有する。例えば、回転ストッパ２７は、図２〜図４に示すように、直線Ｃから水平方向の所定距離Ｒ１の位置に、衝突板２８を有する。衝突板２８は、図２〜図４に示すように、直線Ｃを回転軸とする上面板２１の水平回転方向に対して垂直な板であってよい。
【００３５】
衝突板２８の数は、１つであってもよい。この場合、上面板２１の水平回転可能な角度は、約３６０度に制限される。あるいは、衝突板２８の数は、図２〜図４に示すように、２つであってよい。この場合、上面板２１の水平回転可能な角度は、直線Ｃから２つの衝突板２８の位置へそれぞれ延びる２つの直線によって形成される角度に制限される。例えば、図１〜図３に示すように、２つの衝突板２８が、直線Ｃを挟んで所定距離Ｒ１の位置にそれぞれ配置された場合、上面板２１の水平回転可能な角度は、約１８０度に制限される。この構成によれば、作業者が、電子パネル１２の向きを調節するにあたって、上面板２１を回転させ過ぎて、電源ケーブル１６をねじり過ぎてしまうことを防止できる。
【００３６】
（本開示のまとめ）
本開示に係る照明器具（１）は、鉛直方向に延びる柱状であって、光を発する光源（１１）と、光源を囲む柱状の側面を形成し、光源が発した光を加工して透過させる電子パネル（１２）と、柱状の上面を形成し、中央に円形穴（２２）を有する上面板（２１）と、円形穴よりも大きく、上面板を下方から支持する板であり、中心に第１の貫通穴（２４Ｂ）を有し、当該中心から所定距離の位置に第２の貫通穴（２５Ｂ）を有する支持板（２３）と、第１の貫通穴を通って上方に延び、照明器具の吊り下げ用の部材に設けられた電源に接続する電源ケーブル（１６）と、一端が第２の貫通穴に係合され、他端が照明器具の吊り下げ用の部材に固定されるワイヤー（１７）とを備える。なお、上記柱状は正四角柱であってよい。
【００３７】
この構成によれば、ワイヤーによって、照明器具をより安全に吊り下げることができる。加えて、支持板はワイヤーによって回転が妨げられるので、上面板を水平回転させることができる。よって、作業者は、照明器具を吊り下げて設置する際に、上面板を水平回転させて、電子パネルを任意の向きに調節できる。
【００３８】
また、支持板は、円形穴の半径よりも大きい円形の板であって上面板を下方から支持する円盤部（２３Ａ）と、円形穴の半径よりも小さい偏平の円柱形状であって円形穴に嵌る凸部（２３Ｂ）とを含んでよい。
【００３９】
この構成によれば、凸部が上面板の円形穴に嵌っているので、上面板が支持板に対して水平方向にずれない。
【００４０】
また、照明器具は、支持板に設けられ、当該支持板の下方に突出する突起部（２６）と、上面板が当該上面板の中心を通り鉛直方向に延びる直線（Ｃ）を回転軸として所定の角度、水平回転した場合に突起部が衝突する位置に配置された衝突板（２８）とをさらに備えてよい。
【００４１】
この構成によれば、上面板の水平回転可能な角度が突起部及び衝突板によって制限されるので、作業者が、上面板を水平回転させ過ぎて、電源ケーブルをねじり過ぎてしまうことを防止できる。
【００４２】
以上、添付図面を参照しながら実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した実施の形態における各構成要素を任意に組み合わせてもよい。
【産業上の利用可能性】
【００４３】
本開示の技術は、照明器具に利用可能である。
【符号の説明】
【００４４】
１  照明器具
１１  光源
１２  電子パネル
１３  下面パネル
１４  制御筐体
１５  制御部
１６  電源ケーブル
１７  ワイヤー
１８  蓋部
２１  上面板
２２  円形穴
２３  支持板
２４Ａ、２４Ｂ  貫通穴
２５Ａ、２５Ｂ  貫通穴
２６  突起部
２７  回転ストッパ
２８  衝突板
３０  側稜
【要約】
【課題】照明器具の向きを調節する機構を備えた吊り下げ式の照明器具を提供する。
【解決手段】照明器具は、鉛直方向に延びる柱状であって、光を発する光源と、光源を囲む柱状の側面を形成し、光源が発した光を加工して透過させる電子パネルと、柱状の上面を形成し、中央に円形穴を有する上面板と、円形穴よりも大きく、上面板を下方から支持する板であり、中心に第１の貫通穴を有し、当該中心から所定距離の位置に第２の貫通穴を有する支持板と、第１の貫通穴を通って上方に延び、当該照明器具の吊り下げ用の部材に設けられた電源に接続する電源ケーブルと、一端が第２の貫通穴に係合され、他端が照明器具の吊り下げ用の部材に固定されるワイヤーとを備える。
【選択図】図１【図１】
0006782436.tif 000002
【図２】
0006782436.tif 000003
【図３】
0006782436.tif 000004
【図４】
0006782436.tif 000005